(57)【要約】      （修正有）【課題】摺動及び枢動可能な肘掛アッセンブリを備える車両用コンソールを提供する。【解決手段】車両用コンソールのための摺動及び枢動肘掛部材は、車両用コンソールに枢動可能に取り付けられた閉鎖部材１８、閉鎖部材に摺動自在に取り付けられた肘掛部材２０、及び閉鎖部材を閉鎖位置に選択的に留めるためのラッチ装置２２を含む。ラッチ装置は、閉鎖部材内に画定された少なくとも１つのラッチ開口部４４，４６内に選択的に受容可能な少なくとも１つのラッチ部材、閉鎖部材上に配置され、少なくとも１つのラッチ開口部から少なくとも１つの閉鎖部材を取り外すように可動な少なくとも１つの押し部材４８，５０、及び少なくとも１つの押し部材を動かす作動装置５２を含む。【選択図】図７
2015174654.tif 000002
【特許請求の範囲】
【請求項１】
摺動及び枢動肘掛アセンブリを備える車両用コンソールであって、
収納区画を画定する、コンソール構造と、
前記収納区画へのアクセスがもたらされる枢動開放位置と、前記閉鎖部材が前記収納区画を閉鎖する枢動閉鎖位置との間で動くように、前記コンソール構造に枢動可能に取り付けられた閉鎖部材と、
摺動前方位置と摺動後方位置との間で移動するように、前記閉鎖部材に摺動自在に取り付けられた、肘掛部材と、
前記閉鎖部材及び前記コンソール構造を選択的に留めるためのラッチ装置であって、前記ラッチ装置は、
前記コンソール構造から突出し、前記閉鎖部材を枢動閉鎖位置に留めるために、前記閉鎖部材により画定される少なくとも１つのラッチ開口部内に受容可能である、少なくとも１つのラッチ部材、
前記閉鎖部材に可動に取り付けられ、前記閉鎖部材を前記コンソール構造から外すために、前記少なくとも１つのラッチ部材を前記少なくとも１つのラッチ開口部の外に押すように構成される、少なくとも１つの押し部材、及び
前記閉鎖部材上に配置され、作動時に前記少なくとも１つの押し部材を動かして、前記閉鎖部材を外すように構成される、作動装置を含む、ラッチ装置とを含む、摺動及び枢動肘掛アセンブリを備える車両用コンソール。
【請求項２】
前記肘掛部材は、前記摺動前方位置にあるときに、前記閉鎖部材の前方に延びる、請求項１に記載の摺動及び枢動肘掛アセンブリを備える車両用コンソール。
【請求項３】
前記摺動後方位置にあるときに、前記肘掛部材の前端部が、前記閉鎖部材の前端部とほぼ位置合わせされている、請求項２に記載の摺動及び枢動肘掛アセンブリを備える車両用コンソール。
【請求項４】
前記作動装置は、前記肘掛部材が前記摺動後方位置にあるときにアクセス可能であり、前記肘掛部材が前記摺動前方位置にあるときに、一般的に隠れ、アクセス不能である、請求項３に記載の摺動及び枢動肘掛アセンブリを備える車両用コンソール。
【請求項５】
前記作動装置は、前記閉鎖部材の前端部に又はこれに近接して配置され、前記肘掛部材が摺動前方位置にあるときにアクセス不能である、請求項２に記載の摺動及び枢動肘掛アセンブリを備える車両用コンソール。
【請求項６】
前記コンソール構造は、前記肘掛部材が前記摺動後方位置にあるときに露出され、アクセス可能であるカップホルダーを画定し、前記カップホルダーは、前記肘掛部材が前記摺動前方位置にあり、前記閉鎖部材が前記枢動閉鎖位置にあるときに、被覆されアクセス不能である、請求項２に記載の摺動及び枢動肘掛アセンブリを備える車両用コンソール。
【請求項７】
前記ラッチ装置は更に、
前記少なくとも１つのラッチ部材を、前記少なくとも１つのラッチ開口部内へと横方向に推進する付勢機構であって、前記作動装置の作動により、前記少なくとも１つの押し部材が、前記少なくとも１つのラッチ部材内へと横方向に移動して、前記少なくとも１つのラッチ部材を、前記付勢機構の推進力に逆らって前記少なくとも１つのラッチ開口部の外に移動させる、付勢機構を含む、請求項１に記載の摺動及び枢動肘掛アセンブリを備える車両用コンソール。
【請求項８】
前記少なくとも１つのラッチ部材は、前記ラッチ部材の下方への枢動移動を、前記付勢機構の前記推進力に逆らう前記少なくとも１つのラッチ部材の横方向の移動へと変換するために、テーパ状になっている、請求項７に記載の摺動及び枢動肘掛アセンブリを備える車両用コンソール。
【請求項９】
前記作動装置は、前記閉鎖部材の前端部に沿って配置され、前記少なくとも１つのラッチ部材は、前記閉鎖部材の少なくとも１つの横方向側部に突出するように構成されている、請求項１に記載の摺動及び枢動肘掛アセンブリを備える車両用コンソール。
【請求項１０】
前記作動装置は前記閉鎖部材に枢動可能に取り付けられ、前記作動装置の枢動移動が作動装置を作動させ、前記少なくとも１つの押し部材を前記少なくとも１つのラッチ部材内に移動させるように構成されている、請求項９に記載の摺動及び枢動肘掛アセンブリを備える車両用コンソール。
【請求項１１】
前記作動装置、及び前記少なくとも１つの押し部材は、前記作動装置の枢動移動が、前記少なくとも１つの押し部材の横方向外側の移動に変換されるように構成され、前記作動装置の移動の度合いは、前記少なくとも１つの押し部材の移動の度合いと対応する、請求項１０に記載の摺動及び枢動肘掛アセンブリを備える車両用コンソール。
【請求項１２】
前記少なくとも１つのラッチ部材の、前記少なくとも１つのラッチ開口部への受容は、前記閉鎖部材の下側の支持をもたらし、前記閉鎖部材の下側への更なる枢動移動を防ぐ、請求項１に記載の摺動及び枢動肘掛アセンブリを備える車両用コンソール。
【請求項１３】
前記コンソール構造は、前記閉鎖部材に対して更なる下側支持をもたらすために、前記閉鎖部材の下で、横方向内側に突出する少なくとも１つの肩部を含む、請求項１２に記載の摺動及び枢動肘掛アセンブリを備える車両用コンソール。
【請求項１４】
前記閉鎖部材と、前記少なくとも１つの肩部との間の接触を緩衝するために、前記少なくとも１つの肩部に少なくとも１つの緩衝装置が取り付けられる、請求項１３に記載の摺動及び枢動肘掛アセンブリを備える車両用コンソール。
【請求項１５】
前記少なくとも１つのラッチ部材は前記コンソール構造から横方向内側に突出する一対のラッチ部材であり、前記少なくとも１つのラッチ開口部は、前記一対のラッチ部材を受容するために、前記閉鎖部材の横方向側部に画定された一対のラッチ開口部である、請求項１に記載の摺動及び枢動肘掛アセンブリを備える車両用コンソール。
【請求項１６】
前記少なくとも１つの押し部材は、前記作動装置の作動時に横方向外側に移動して、前記一対のラッチ開口部の外側へと前記一対のラッチ部材を押す、一対の押し部材である、請求項１５に記載の摺動及び枢動肘掛アセンブリを備える車両用コンソール。
【請求項１７】
車両用コンソールの摺動及び枢動肘掛アセンブリであって、
前記車両用コンソールに枢動可能に取り付けられた閉鎖部材と、
前記閉鎖部材に摺動自在に取り付けられた肘掛部材と、
前記閉鎖部材を閉鎖位置に選択的に留めるためのラッチ装置であって、前記ラッチ装置は、前記閉鎖部材内に画定された少なくとも１つのラッチ開口部内に選択的に受容可能な少なくとも１つのラッチ部材、前記閉鎖部材上に配置され、前記少なくとも１つのラッチ開口部から前記少なくとも１つの閉鎖部材を取り外すように可動な、少なくとも１つの押し部材、及び前記少なくとも１つの押し部材を動かす作動装置を含む、ラッチ装置とを含む、車両用コンソールの摺動及び枢動肘掛アセンブリ。
【請求項１８】
前記作動装置は、前記閉鎖部材の前端部に配置され、前記少なくとも１つのラッチ開口部は前記閉鎖部材の少なくとも１つの横方向側部に画定される、請求項１７に記載の摺動及び枢動肘掛アセンブリ。
【請求項１９】
前記少なくとも１つのラッチ部材は、前記閉鎖部材が閉鎖位置にあるときに、少なくとも１つのラッチ開口部に向かって、その中へと、横方向内側にばねで付勢される、請求項１８に記載の摺動及び枢動肘掛アセンブリ。
【請求項２０】
車両用肘掛アセンブリであって、
枢動閉鎖部材と、
前記枢動閉鎖部材に可動に取り付けられた、摺動肘掛部材と、
前記枢動閉鎖部材により画定されるラッチ開口部内へと、互いに向かって横方向内側に推進される、ばねで付勢されたピンを含むラッチ装置であって、前記ラッチ部材は更に、前記ばねにより付勢されたピンを、推進力に逆らって前記ラッチ開口部の外へと押すように、作動装置により可動な押しピンを含む、ラッチ装置とを含む、車両用肘掛アセンブリ。
【発明の詳細な説明】
【背景技術】
【０００１】
従来のコンソール肘掛は、典型的には、肘掛が固定されるコンソールの幅全体（すなわち、車両の横方向）に及ぶ。例えば、コンソールは、収納区画を画定する横方向側壁を含んでもよく、肘掛は、収納区画を閉鎖するように収納区画の上に配置され得る。肘掛は、収納区画へのアクセスをもたらすために、開放位置へと枢動可能であり得る。この典型的な構成において、コンソールの横方向側壁は、肘掛に対する主要な下側の支持をもたらす。すなわち、肘掛は、閉鎖位置にあるときに、横方向側壁の上端に接するように位置する。また、従来の肘掛において、コンソールの前方壁部と接続するために、通常、肘掛の最前部にラッチが設けられる。
【発明の概要】
【課題を解決するための手段】
【０００２】
一態様により、摺動及び枢動肘掛アセンブリを備える車両用コンソールは、コンソール構造、閉鎖部材、肘掛部材、並びに閉鎖部材及びコンソール構造を選択的に留めるためのラッチ装置を含む。コンソール構造は収納区画を画定し、閉鎖部材は枢動開放位置と、枢動閉鎖位置との間で移動するように、コンソール構造に枢動可能に取り付けられる。閉鎖部材が枢動開放位置にあるときに、収納区画へのアクセスがもたらされる。閉鎖部材が枢動閉鎖位置にあるときに、閉鎖部材が収納区画を閉鎖する。肘掛部材は、摺動前方位置と摺動後方位置との間で移動するように、閉鎖部材に摺動自在に取り付けられる。ラッチ装置は、ラッチ部材、少なくとも１つの押し部材、及び作動装置を含む。少なくとも１つのラッチ部材は、コンソール構造から突出し、閉鎖部材を枢動閉鎖位置に留めるために、閉鎖部材により画定される少なくとも１つのラッチ開口部内に受容可能である。少なくとも１つの押し部材は、閉鎖部材に可動に取り付けられ、閉鎖部材をコンソール構造から外すために、少なくとも１つのラッチ部材を少なくとも１つのラッチ開口部の外に押すように構成される。作動装置は、閉鎖部材上に配置され、作動時に少なくとも１つの押し部材を動かして、閉鎖部材を外すように構成される。
【０００３】
別の態様により、車両用コンソールのための摺動及び枢動肘掛アセンブリは、車両用コンソールに枢動可能に取り付けられた閉鎖部材、閉鎖部材に摺動自在に取り付けられた肘掛部材、及び閉鎖部材を閉鎖位置に選択的に留めるためのラッチ装置を含む。ラッチ装置は、閉鎖部材内に画定された少なくとも１つのラッチ開口部内に選択的に受容可能な少なくとも１つのラッチ部材、閉鎖部材上に配置され、少なくとも１つのラッチ開口部から少なくとも１つの閉鎖部材を取り外すように可動な少なくとも１つの押し部材、及び少なくとも１つの押し部材を動かす作動装置を含む。
【０００４】
更なる態様により、車両肘掛アセンブリは、枢動閉鎖部材、枢動閉鎖部材に可動に取り付けられた摺動肘掛部材、及びラッチ装置を含む。互いに向かって横方向内側に、枢動閉鎖部材により画定されるラッチ開口部内へと推進される、ばねにより付勢されたピンを含む。ラッチ部材は更に、ばねにより付勢されたピンを、推進力に逆らってラッチ開口部の外へと押すように、作動装置により可動な押しピンを含む。
【図面の簡単な説明】
【０００５】
【図１】代表的な実施形態に係る、摺動及び枢動式肘掛アセンブリを備える車両コンソールの部分斜視図であり、アセンブリの肘掛部材が摺動前方位置にあるものとして示されている。
【図２】図１と同様であるが、摺動後方位置に摺動自在に移動した肘掛部材を示している、部分斜視図である。
【図３】図２と同様であるが、枢動開放位置へと枢動したアセンブリの閉鎖部材を示している、部分斜視図である。
【図４】図１に対応する車両コンソール、並びに摺動及び枢動肘掛アセンブリの平面図である（すなわち、肘掛部材が摺動前方位置にあるものとして示される）。
【図５】図４と同様であるが、肘掛部材が図２に対応する位置（すなわち、摺動後方位置）にあるものとして示される、平面図である。
【図６】図５の直線６−６における摺動及び枢動肘掛アセンブリの断面図である。
【図７】図４の直線７−７における車両用コンソールの部分断面図である。
【図８】図６と同様であるが、摺動前方位置にある、別の代表的な実施形態に係る、摺動及び枢動肘掛アセンブリを示す、断面図である。
【図９】摺動肘掛部材と、枢動閉鎖部材との間の協調的な摺動係合を示す、図８の摺動及び枢動肘掛アセンブリの横方向の断面図である。
【図１０】摺動肘掛部材（２つの部分を含むものとして示される）、及び枢動閉鎖部材の分解斜視図である。
【発明を実施するための形態】
【０００６】
ここで図面を参照し、図示は１つ以上の代表的な実施形態を例示する目的で行われるのであって、これを制限する目的によるものではなく、図１〜７は代表的な一実施形態による、車両コンソール１２のための摺動及び枢動肘掛アセンブリ１０を例示する。車両コンソール１２は、収納区画１６を画定するコンソール構造１４を含む。肘掛アセンブリ１０（本明細書においては車両用肘掛アセンブリとも称され得る）は、枢動閉鎖部材１８、摺動肘掛部材２０、及び閉鎖部材１８及びコンソール構造１４に選択的に留めるためのラッチ装置２２（図６）を含む。閉鎖部材１８は、収納区画１６へのアクセスがもたらされる枢動開放位置（図３に示される）と、閉鎖部材１８が収納区画１６を閉鎖する枢動閉鎖位置（図１〜２及び４〜５に示される）との間で動くように、コンソール構造１４に枢動可能に取り付けられる。ラッチ装置２２は、枢動閉鎖位置において、閉鎖部材１８を選択的に留める。肘掛部剤２０が、枢動前方位置（図１及び図４に示される）と、摺動後方位置（図２及び図５に示される）との間で動くように、閉鎖部材１８に可動で取り付けられ、特に摺動自在に取り付けられる。
【０００７】
図１、４及び６に示されるように、肘掛部材２０は、肘掛部材２０が、摺動前方位置にあるときに、閉鎖部材１８の前方に延びる。逆に、図６に最もよく図示されるように、肘掛部材２０の前方端部２４は、肘掛部材２０が摺動後方位置にあるときに、閉鎖部材１８の前方端部２６とほぼ位置合わせされる。例示される実施形態において、コンソール構造１４は、カップホルダー３２、３４を画定する。図示されるように、カップホルダー３２は、カップホルダー３４に対して前方に位置付けられ、ここで前方とは、内部に車両コンソール１２が配置される車両（不図示）の移動方向に関して定義される。したがって、カップホルダー３２は、前方カップホルダーと称される場合があり、カップホルダー３４は、後方カップホルダーと称される場合がある。例示される実施形態において、前方カップホルダー３０は常に露出されており、肘掛部材２０の位置とは無関係にアクセス可能である。反対に、後方カップホルダー３２は、肘掛部材２０が図２、３、及び５に示される摺動後方位置にあるときにのみ、露出され、かつアクセス可能である。図１及び図４に示されるように、後方カップホルダー３２は、肘掛部材２０が摺動前方位置にあり、閉鎖部材１８が枢動閉鎖位置にあるときに被覆され、かつアクセス不能である。
【０００８】
図６及び図７を参照し、ラッチ装置２２は、コンソール構造１４から突出し、閉鎖部材１８により画定された少なくとも１つのラッチ開口部（例えば、ラッチ開口部４４、４６）内に受容可能な、少なくとも１つのラッチ部材（例えば、ラッチ部材４０、４２）を含み、閉鎖部材１８を枢動閉鎖位置に留めることができる。ラッチ装置２２は更に、閉鎖部材１８に可動に取り付けられ、閉鎖部材１８をコンソール構造１４から取り外すために少なくとも１つのラッチ部材を少なくとも１つのラッチ開口部の外へと押すように構成された、少なくとも１つの押し部材（例えば、押し部材４８、５０）を含み得る。加えて、ラッチ装置２２は、閉鎖部材１８の前方端部２６を画定する、閉鎖部材１８上に配置された作動装置５２を含む場合があり、作動時に少なくとも１つの押し部材を移動させて、閉鎖部材１８を外すように構成され得る。任意により（図示されないが）、作動装置５２は第１の回転方向（例えば、図６の反時計方向）に（例えば、ばねにより）付勢されてもよく、それにより作動装置５２は非作動位置へと推進される。
【０００９】
より具体的に、例示される実施形態において、少なくとも１つのラッチ部材は、それぞれコンソール構造１４から横方向内側に突出するか、又は推進される、一対のラッチ部材４０、４２であり、少なくとも１つのラッチ開口部は、一対のラッチ部材４０、４２を受容するために、閉鎖部材１８の横方向側部５４、５６に画定された一対のラッチ開口部４４、４６である。また、例示される実施形態において、少なくとも１つの押し部材は、作動装置５２の作動時に横方向外側に移動して、一対のラッチ開口部４４、４６の外側へと一対のラッチ部材４０、４２を押す、一対の押し部材４８、５０である。図示されるように、閉鎖部材１８が枢動閉鎖位置にあるとき、ラッチ部材４０、４２はそれぞれ、対応するラッチ開口部４４、４６に向かって、及びその内部へと、横方向内側にばねで付勢されてもよい。例えば、例示される実施形態において、ばね５８、６０の形態の付勢機構はそれぞれ、各ラッチ部材４０、４２を、ラッチ開口部４４、４６のそれぞれの内部へと推進する。同様に、押し部材４８、５０はそれぞれ、互いに向かって横方向内側にばねで付勢され得る。例えば、例示される実施形態において、ばね６８の形態の付勢機構は、押し部材４８、５０を、互いに向けて推進するか、又は引きつけて、ラッチ部材４０、４２に作用しないようにしてもよい。
【００１０】
以下でより詳細に記載されるように、作動装置５２の作動により、押し部材４８、５０は、各ばね５８、６０の推進力に逆らって、ラッチ部材４０、４２内へと横方向外側に、各ラッチ開口部４４、４６の外側へと移動させられる。更により具体的に、ラッチ部材４０、４２は互いに向かって横方向内側に、閉鎖部材１８により画定されるラッチ開口部４４、４６内へとそれぞれ推進される、ばねにより付勢されたピンであり得、そのように示されている。同様に、押し部材４８、５０は、押しピンであり得、作動装置５２により可動であり、ばねにより付勢されたピン４０、４２を、ばね５８、６０によりもたらされる推進力に逆らって、ラッチ開口部４４、４６の外へと押し、閉鎖部材１８を外し、枢動閉鎖位置から枢動開放位置への枢動移動を可能にする。
【００１１】
図６に最もよく示されるように、作動装置５２は、閉鎖部材１８の前端部２６に、又はこれに近接して配置される（又はその一部を成す）。したがって、作動装置５２は、閉鎖部材１８の前端部２４に配置されるか、又はこれを形成し、ラッチ部材４０、４２は横方向側部５４、５６内に、及び特に、閉鎖部材１８の横方向側部５４、５６内に画定されるラッチ開口部４４、４６内に突出するように配置される。作動装置５２は、肘掛部材２０が摺動前方位置にあるときに、一般的に隠れ、アクセス不能である。逆に、作動装置５２は、肘掛部材２０が摺動後方位置にあるときに、一般的にアクセス可能である。
【００１２】
当業者により既知であり、理解されるように、ラッチ装置２２及び特に作動装置５２は、図６に示されるように枢動品６２により閉鎖部材１８に枢動可能に取り付けられ得るが、他の枢動可能な取り付け構成もまた利用することができる。作動装置５２及び枢動品６２は、作動装置５２の枢動移動（例えば、図６の時計方向）が作動装置５２を作動させ、押し部材４８、５０をラッチ部材４０、４２内へと移動して、ラッチ部材４０、４２をラッチ開口部４４、４６から取り外し、それにより閉鎖部材１８をコンソール構造１４から外すように構成されている。より具体的に、作動装置５２、及び押し部材４８、５０は、手動で印加した作動力による、作動装置５２の枢動移動（例えば、図６の時計方向）が、押し部材４８、５０の横方向外側への移動へと変換されるように、構成される。例示される構成において、作動装置５２の移動の度合い（すなわち、作動装置が回転又は枢動する量）は、押し部材４８、５０の移動する度合いに対応する。先に記載したように、手動で印加した作動力が一旦解除されると、作動装置５２を推進して非作動位置に戻すためのばね（不図示）が任意により、作動装置５２と関連して含まれてもよい。
【００１３】
図示されるように、押し部材４８、５０はそれぞれ、テーパ状区分４８ａ、５０ａを介してテーパ状であってもよく、ラッチ装置２２の下方への枢動移動を、ばね５８、６０、及びばね６８の推進力に逆らう、ラッチ部材４０、４２の横方向移動へと変換する。より具体的に、作動装置５２は、枢動ピン６２の一方の側（図６に示されるように、枢動ピン６２の前方）に配置された把持部５２ａ、及び枢動ピン６２の他方の側に配置される係合部５２ｂを含む。図６の時計方向など、把持部５２ａの回転により、係合部５２ｂが押し部材４８、５０のテーパ状部分４８ａ、５０ａ内へと下方に枢動し、押し部材４８、５０を横方向外側に強制的に動かす。これにより、次に押し部材４８、５０は、ラッチ部材４０、４２を横方向外側に強制的に動かし、これにより、ラッチ部材４０、４２を、ラッチ開口部４４、４６から取り外して、閉鎖部材１８を外す。この点において、枢動閉鎖部材１８は、枢動開放位置まで移動され得る。
【００１４】
図示されるように、閉鎖部材１８は、閉鎖部材１８をコンソール構造１２へと枢動可能に取り付けるための取り付けアーム６４、６６を含み、図２に示される枢動閉鎖位置から、図３に示される枢動開放位置への枢動移動を可能にし得る。特に、これらの取り付けアーム６４、６６は、閉鎖部材１８に枢動可能に取り付けられ、枢動閉鎖部材１８は、ラッチ部材４０、４２が閉鎖部材１８から係合離脱するときに、枢動閉鎖位置と枢動開放位置との間で移動し得るように構成され得る。
【００１５】
ここで図８〜１０を参照し、枢動閉鎖部材１１８及び摺動肘掛部材１２０は、別の代表的な実施形態に従って図示される。一般的に、枢動閉鎖部材１１８は、枢動閉鎖部材１８と同様であり得、かつこれと同一又は同様の様式で機能することができ、摺動肘掛部材１２０は、摺動肘掛部材２０と同様であり得、かつこれと同一又は同様の様式で機能することができる。例えば、閉鎖部材１１８は、コンソール構造（例えば、コンソール構造１４）に枢動可能に取り付けられてもよく、摺動肘掛部材１２０は、摺動開放位置（図８に示される）と摺動閉鎖位置との間で摺動移動するように、閉鎖部材１８に摺動自在に取り付けられてもよい。
【００１６】
相対的な摺動移動の度合いを促進及び制限するため、枢動閉鎖部材１１８は、摺動肘掛部材１２０上に画定されるランナースロット１７４、１７６にそれぞれ摺動自在に受容される、横方向に配置されたランナー部材１７０、及び上側に配置されたランナー部材１７２を含む、突出するランナー部材を有し得る。特に、例示される実施形態において、摺動肘掛部材１２０は、スロット１７４、１７６を画定する基部構造１２０ａ、及び基部構造１２０ａに固定可能な上方緩衝部材１２０ｂを含み得る。摺動肘掛部材１２０の枢動閉鎖部材１１８に対する望ましくない摺動運動を防ぐため、摺動肘掛部材１２０は複数の係止部１７８を画定することができ、枢動閉鎖部材１１８は、摺動肘掛部材１２０の位置を（例えば、摺動前方位置、摺動後方位置、又はいずれかの中間的な位置に）固定するために係止部１７８の１つに選択的に受容される、取り付けられた板ばね１８０を含み得る。
【００１７】
枢動閉鎖部材１１８と、摺動肘掛部材１２０との間の協調的な係合は、単に例示でしかなく、他の装置及び／又は設計が採用され得ることが当業者により理解される。例えば、枢動閉鎖部材１１８は、ランナースロットを画定することができ、摺動肘掛部材１２０は、ランナー部材を画定することができる。また、ランナー部材及びランナースロットの配置及び／又は数は例示されるものと異なっていてもよい。同様に、摺動肘掛部材１２０の相対位置を、枢動閉鎖部材１１８に固定するために他の装置及び／又は設計が使用されてもよい。更に、枢動閉鎖部材１１８及び摺動肘掛部材１２０との関連において示される特徴は、枢動閉鎖部材１８及び摺動肘掛部材２０に適用され得ることが、当業者により理解される。
【００１８】
いうまでもなく、上に開示した様々な他の特徴及び機能、又は代替物若しくは変形例は、望ましくは多くの他の異なるシステム又は適用と組み合わせることができる。また、種々の現在予期されていない、若しくは予想されていない代替案、修正、変形、又は改善が、後に当業者によって行われてもよく、それらも、以下の特許請求の範囲によって包含されるよう意図される。
【図１】
2015174654.tif 000003
【図２】
2015174654.tif 000004
【図３】
2015174654.tif 000005
【図４】
2015174654.tif 000006
【図５】
2015174654.tif 000007
【図６】
2015174654.tif 000008
【図７】
2015174654.tif 000009
【図８】
2015174654.tif 000010
【図９】
2015174654.tif 000011
【図１０】
2015174654.tif 000012